(57)【要約】  衣服（２）の一部分（２１）に脱着可能に取着可能な携行ボックス（１）であって、その携行ボックスは、密封して底部（１１）に接続可能な頂部（１２）を備え、底部（１１）は、衣服（２）の一部分（２１）によって覆われる人間の身体部分の湾曲形状とほぼ対応する曲線半径（Ｒｂ）を有する湾曲した底面（１１１）を備え、携行ボックス（１）はさらに、少なくとも１つの取着手段（１４）によって衣服（２）の一部分（２１）との脱着可能な相互接続のためにさらに配設されており、ここにおいて、頂部（１２）の湾曲した内側の頂面（１２１ａ）および底部（１１）の湾曲した底面（１１１）は、圧迫部材（１２８）を携行するように配設される。【選択図】図７
2019515765.tif 000002
【特許請求の範囲】
【請求項１】
衣服（２）の一部分（２１）に脱着可能に取着可能な携行ボックス（１）であって、前記携行ボックスは、
密封して底部（１１）に接続可能な頂部（１２）を具備し、
前記底部（１１）は、衣服（２）の前記一部分（２１）によって覆われる人の身体部分の湾曲形状にほぼ対応する曲線半径（Ｒｂ）を有する湾曲した底面（１１１）を具備し、
前記携行ボックス（１）は、さらに、少なくとも１つの取着手段（１４）によって衣服（２）の前記一部分（２１）との脱着可能な相互接続のために配設され、
前記頂部（１２）の内側の頂面（１２１ａ）及び前記底部（１１）の前記湾曲した底面（１１１）の少なくとも一方が、圧迫部材（１２８）を携行するように配設されていることを特徴とする、
携行ボックス（１）。
【請求項２】
前記圧迫部材（１２８）は、前記内側の頂面（１２１ａ）から延びる前記頂部（１２）の内側に一体化されている、請求項１に記載の携行ボックス（１）。
【請求項３】
前記圧迫部材（１２８）は、前記頂部（１２）の前記内側の頂面（１２１ａ）に脱着可能に取着されている、請求項１に記載の携行ボックス（１）。
【請求項４】
前記圧迫部材（１２８）は、前記湾曲した底面（１１１）に一時的に取着されている、請求項１に記載の携行ボックス（１）。
【請求項５】
前記圧迫部材（１２８）は、弾性材料（１２８ａ、１２８ｂ）で作製されている、請求項１に記載の携行ボックス（１）。
【請求項６】
前記取着手段（１４）は、前記衣服（２）に一体化されたポケットである、請求項１に記載の携行ボックス（１）。
【請求項７】
前記取着手段（１４）が、面ファスナー（Velcro）、プッシュボタン、及びジップファスナーから成るグループから選択される、請求項１に記載の携行ボックス（１）。
【請求項８】
前記湾曲した底面（１１１）の前記曲線半径（Ｒｂ）は、２００乃至３００ｍｍの範囲にある、請求項１に記載の携行ボックス（１）。
【請求項９】
前記湾曲した底面（１１１）の前記曲線半径（Ｒｂ）は、２２０乃至２８０ｍｍの範囲にある、請求項１に記載の携行ボックス（１）。
【請求項１０】
前記湾曲した底面（１１１）の前記曲線半径（Ｒｂ）は、２４０乃至２６０ｍｍの範囲にある、請求項１に記載の携行ボックス（１）。
【請求項１１】
前記頂部（１２）の頂面（１２１）の曲線軸（Ａｔ）が、前記携行ボックス（１）が閉じた状態にあるときに、前記底面（１１１）の曲線軸（Ａｂ）と一致する、請求項１に記載の携行ボックス（１）。
【請求項１２】
前記頂部（１２）は、前記頂部（１２）および前記底部（１１）の側壁（１１２、１２２）に一体化された対応するロック部材取着部分（１１６、１２６）と係合するように配設された少なくとも１つの接続手段（１３）によって、前記底部（１１）に接続される、請求項１に記載の携行ボックス（１）。
【請求項１３】
前記頂部（１２）は、ヒンジ（１３２）及び前記ヒンジ（１３２）に対向する少なくとも１つのスナップファスナー（１３１）によって前記底部（１１）に接続され、前記頂部（１２）及び前記底部（１１）の側壁（１１２、１２２）に一体化された対応するロック部材取着部分（１１６,１２６）と係合するように配設される、請求項１に記載の携行ボックス（１）。
【請求項１４】
前記底面（１１１）と前記頂面（１２１）との間の最小の内側の間隙は、１８乃至２７ｍｍの範囲である、請求項１に記載の携行ボックス（１）。
【請求項１５】
前記底面（１１１）と前記頂面（１２１）との間の最小の内側の間隙は、１９乃至２５ｍｍの範囲である、請求項１に記載の携行ボックス（１）。
【請求項１６】
前記底面（１１１）と前記頂面（１２１）との間の最小の内側の間隙は、２０乃至２３ｍｍの範囲である、請求項１に記載の携行ボックス（１）。
【請求項１７】
衣服（２）の一部分（２１）に脱着可能に取着される請求項１に記載の携行ボックス（１）を具備する、衣服（２）。
【発明の詳細な説明】
【技術分野】
【０００１】
本発明は、衣服の一部分に脱着可能に取着可能な携行ボックスに係り、その携行ボックスは、密閉して底部に接続可能な頂部を備え、底部は、衣服の一部分によって覆われる人間の身体部分の湾曲形状にほぼ対応する曲線半径を有する湾曲した底面を備え、携行ボックスはさらに、少なくとも１つの取着手段によって衣服の一部分との脱着可能な相互接続のために配設される。
【背景技術】
【０００２】
活動中に怪我の危険に晒される人々、特に遠隔地で働く人々、例えば、木材伐採人、建設労働者、農家などは、応急処置手段への迅速なアクセスが必要である。現場、すなわち建設機械内、トラクター内、労働者の小屋などにある応急処置用のボックスは、そのような現場において、またはその現場の近くで働いている人にとっては有用である。そのような現場から離れている人々にとっては、応急処置手段を携行することが有益である。しかし、ポケットなどの中で携行される応急処置手段は、落下して損傷又は紛失しやすく、又は、衣服内に残って洗濯物に引き渡されたときに壊れる可能性がある。
【０００３】
また、活動中に携行される他の小さな手段の安全かつ利用しやすい収納の必要性もある。
【０００４】
特許文献１は、ヒンジ付きカバーを備え、長さ調節可能なストラップまたはクリップに使用者によって携行されるように配設された密封ボックスを開示している。そのボックスは、丸いエッジを備えた矩形の断面を有する。
【０００５】
特許文献２は、ストラップが設けられた手首に装着される円形または多角形の収納ボックスを開示している。そのボックスには、湾曲した底面とヒンジ付きカバーとが設けられている。電話アンテナ及びイヤホンケーブルを提供するために、ボックスに１つまたは複数の開口部が形成されている。
【０００６】
特許文献３は、チケット等を携行するために配設されたボックスを開示しており、そのボックスには湾曲した長さ部分と、腕、腰等にボックスを取着するために配設されたストラップまたはクリップ形状の取着手段とが設けられている。ヒンジ付きまたは取り替え可能なカバーが、ボックスの凸面のおよそ半分にわたって延びている。
【０００７】
特許文献４は、弾性材料によって携行者の腕または脚に取着されるように配設された小さなバッグまたはホルダを記載している。
【０００８】
特許文献５は、ベルクロストリップ（Velcro（登録商標） strip）を用いて手袋の外側の背部に取り外し可能に取着される容器を記載している。
【先行技術文献】
【特許文献】
【０００９】
【特許文献１】ＵＳ２００５１１６００３Ａ１
【特許文献２】ＵＳ２００４２５１２８５Ａ１
【特許文献３】ＤＥ１８９１９０３Ｕ
【特許文献４】ＤＥ２０２１０８６３Ｕ１
【特許文献５】ＵＳ５００３６３７Ａ
【発明の概要】
【００１０】
本発明は、その目的として、先行技術の欠点の少なくとも１つを改善または軽減する、または、少なくとも先行技術に有用な代替物を提供する必要がある。
【００１１】
その目的は、以下の説明及び以下の特許請求の範囲で特定される特徴によって達成される。
【００１２】
携行ボックスが提供され、そのボックスは、包帯手段、包帯を巻く際に有用なピンセット、はさみのような器具など、鎮痛剤錠剤のような少量の薬、及び携行者の活動中に損傷を受けることなく衣服に一体化されて安全に携行されるための他の手段、を収容するように配設されている。湾曲した底面を有する底部には、頂部の周辺部分への当接のために配設された側壁が設けられている。底部及び頂部の少なくとも一方には、少なくとも接続手段が底部及び頂部をロック式で係合している場合に、携行ボックスの流体密封のために配設された密封手段が設けられている。密封することにより、携行ボックスの内容物に損傷を与えることなく、洗濯機内の衣服のクリーニング中に衣服に一体化されたままであることができる携行ボックスが提供される。かくして、携行者が携行ボックスなしで再着用場（redressing site）を離れるリスクが回避される。
【００１３】
携行ボックスは、圧迫部材、すなわち、止血するために十分な圧力を創傷に与えるために使用される部材を携行するように配設され、圧迫及び携行ボックスは、包んでいる包帯によって所定の位置に保持される。湾曲した底面は、圧迫部材に支持を単独で提供することによって圧迫部材を一時的に携行し得、又は圧迫部材は、接着テープ、ベルクロストリップなどによって底面に一時的に取着され得る。同様に、携行ボックス全体またはその底部が単独で、止血するために圧迫が必要である部位に底部の湾曲面を配置することにより、圧迫器として使用されることができる。圧迫部材は、内側の頂面から延びるようにして頂部に一体化され得る。一体化された圧迫部材は、好ましくは、弾性材料で作製される。圧迫部材は、脱着可能であり得、場合によっては頂部から分離されているときでも使用されるように配設され得る。
【００１４】
携行ボックスは、衣服の一部分の外側への脱着可能な取着のために配設されている。衣服の一部分は、ジャケット、シャツまたはカバーオールの袖、またはズボンまたはカバーオールの脚部分であり得る。携行ボックス及び衣服の一部分には、動作状態のために携行ボックスの準備を容易にするように、携行ボックスの衣服への取着が容易であること、及び最も重要なことには、携行ボックスの内容物への迅速なアクセスを必要とする状況において衣服からの携行ボックスの取外しが容易であること、のために配設された対応する取着手段が設けられている。取着手段は、ベルクロストリップ（面ファスナー（hook and loop fastener））、プッシュボタン、ジップファスナー、ポケット等であってもよい。
【００１５】
携行ボックスの湾曲した底面は、好ましくは、人間の大腿または上腕の湾曲した断面形状に適合される。湾曲した底面の軸方向は、好ましくは、携行ボックスの長手方向と一致する。湾曲した底面の半径は、好ましくは２００乃至３００ｍｍの範囲、より好ましくは２２０乃至２８０ｍｍの範囲、さらにより好ましくは２４０乃至２６０ｍｍの範囲である。
【００１６】
底面と底部の側壁との間の遷移部分は、好ましくは４乃至８ｍｍの範囲の半径を有する円形であり得る。
【００１７】
底面の湾曲形状と円形の側壁遷移部分の利点は、携行ボックスが衣服を携行する近接した身体部分への刺激が少ないことである。
【００１８】
内側の底面と内側の頂面との間の最小の間隙は、好ましくは１８乃至２７ｍｍの範囲、より好ましくは１９乃至２５ｍｍの範囲、さらにより好ましくは２０乃至２３ｍｍの範囲である。
【００１９】
接続手段は、好ましくは２つの対向するスナップファスナーである。頂部と底部とを接続するこの方法の利点は、２つのスナップファスナーのどちらが開口していても、携行ボックスが開口可能であることである。
【００２０】
若しくは、接続手段は、ヒンジ及び少なくとも１つのスナップファスナーであり得る。少なくとも１つのスナップファスナーは、好ましくは、ヒンジに対向している。
【００２１】
頂面は、好ましくは湾曲している。頂面の曲線軸（curve axis）は、携行ボックスが閉じた状態にあるとき、好ましくは、底面の曲線軸と一致する。
【００２２】
本発明は、独立特許請求項によって規定される。従属請求項は、本発明の有利な実施形態を規定する。
【００２３】
携行ボックスは、耐熱性と難燃性の素材で作製され、場合によってはＩＳＯ １０４３−４の要件を満たしている。
【００２４】
第１の態様では、本発明は、より具体的には、衣服の一部分に脱着可能に取着可能な携行ボックスに関し、携行ボックスは、密封して底部に接続可能な頂部を備え、底部は、衣服のその一部分によって覆われる人間の身体部分の湾曲形状にほぼ対応する曲線半径を有する湾曲した底面を備え、携行ボックスはさらに、少なくとも１つの取着手段による衣服のその一部分との脱着可能な相互接続のために配設されており、頂部の内側の頂面及び底部の底面の少なくとも一方が、圧迫部材を携行するように配設されることを特徴とする。
【００２５】
圧迫部材は、内側の頂面から延びる頂部の内部で一体化され得る。
【００２６】
圧迫部材は、頂部の内側の頂面に脱着可能に取着され得る。
【００２７】
圧迫部材は、湾曲した底面に一時的に取着され得る。
【００２８】
圧迫部材は、弾性材料で作製され得る。
【００２９】
取着手段は、衣服に一体化されたポケットであり得る。若しくは、取着手段は、面ファスナー（Velcro）、プッシュボタン、及びジップファスナーから成るグループから収集され得る。
【００３０】
湾曲した底面の曲線半径は、２００乃至３００ｍｍの範囲、より好ましくは２２０乃至２８０ｍｍの範囲、さらにより好ましくは２４０乃至２６０ｍｍの範囲であり得る。
【００３１】
頂部の頂面の曲線軸は、携行ボックスが閉じた状態にあるとき、底面の曲線軸と一致し得る。
【００３２】
頂部は、頂部及び底部の側壁に一体化された部分を取着している対応するロック部材と係合するように配設された少なくとも１つの接続手段によって、底部に接続され得る。若しくは、頂部は、ヒンジと、ヒンジに対向する少なくとも１つのスナップファスナーによって底部に接続され得、底部及び頂部の側壁に一体化された部分を取着している対応するリンク部材と係合するように配設され得る。
【００３３】
底面と頂面との間の最小の内側の間隙は、１８乃至２７ｍｍの範囲、より好ましくは１９乃至２５ｍｍの範囲、さらにより好ましくは２０乃至２３ｍｍの範囲であり得る。
【００３４】
第２の態様では、本発明は、より具体的には、衣服の一部分に脱着可能に取着される、本発明の第１の態様にしたがった携行ボックスを備える衣服に関する。
【００３５】
以下には、添付の図面に示された好ましい実施形態の例が説明される。
【図面の簡単な説明】
【００３６】
【図１】図１は、本発明にしたがった携行ボックスの第１の実施形態の閉じた状態の端面図である。
【図２】図２は、携行ボックスの前のロック手段を１つだけ示す携行ボックスの分解斜視図である。
【図３】図３は、携行ボックスのヒンジ付きの実施形態の部分側面図である。
【図４】図４は、衣服のポケットに収容されている携行ボックスの斜視図である。
【図５】図５は、ベルクロストリップを用いて衣服に取着された携行ボックスの斜視図である。
【図６】図６は、摺動可能な弓形状の接続手段を設けられた、閉じた状態の携行ボックスの第２の実施形態の斜視図である。
【図７】図７は、頂カバーの内側に配設された板状の圧迫部材を有する搬送ボックスの第２の実施形態の斜視断面図である。
【図８】図８は、頂カバーが上下逆さまにされた、携行ボックスの第２の実施形態の分解斜視図である。
【発明を実施するための形態】
【００３７】
携行ボックス１は、底部１１と、対である頂部１２とを備え、底部１１と頂部１２とは、いくつかの接続手段１３によって密封して相互接続可能であり、包帯、小型工具、少量の医薬品など（図示されていない）を収容するために配設され、閉じた状態での容積を規定する。
【００３８】
底部１１は、曲線半径Ｒｂ及び曲線軸Ａｂを有する湾曲した底面１１１を備える（図１参照）。底面１１１は、図示された実施形態では直線状に形成された底部当接部分１１３を形成する底部側壁１１２によって画定される。底面１１１及び側壁１１２は、４乃至８ｍｍの範囲の半径を有する連続した円形の遷移部分１１７を形成している。底部当接部分１１３は、一部のみ図２に示されている、シール１１５を保持するように配設された連続した底シールシート１１４を含む。
【００３９】
頂部１２は、曲線半径Ｒｔと、頂部１２が底部１１と嵌合するときの底曲線軸Ａｂと一致する曲線軸Ａｔとを有する湾曲した頂面１２１を備える。頂面１２１は、携行ボックス１が閉じた状態にあるとき密封してシール１１５に当接するように頂シールシート１２４が配設された頂部当接部分１２３を形成する頂部側壁１２２によって、画定される。頂面１２１及び側壁１２２は、４乃至８ｍｍの範囲の半径を有する連続した、円形の遷移部分１２７を形成している。
【００４０】
図１に示される好ましい実施形態では、底部１１と頂部１２とは、底部１１及び頂部１２の対応する側壁１１２、１２２に設けられた対応するロック部材係合部分１１６、２６と脱着可能な係合のために配設された第１のスナップ部分１３１ａ及び第２のスナップ部分１３１ｂを備える２つのロック部材１３１によって、相互接続される。
【００４１】
代替の実施形態では、図３を参照すると、一方のロック部材１３１がヒンジ１３２に置き換えられ、ヒンジ１３２は、頂ヒンジ部分１３２ｂと噛み合う底ヒンジ部分１３２ａによって底部１１と頂部１２とを相互接続する。
【００４２】
底面１１１の湾曲形状は、衣服２の一部分２１によって覆われた身体部分の湾曲形状にほぼ対応しており、それに、携行ボックス１が、少なくとも１つの取着手段１４によって取着されることができる、図４及び図５参照。好ましい実施形態では、携行ボックス１は、ポケット１４の形態の取着手段によって保持される、図４参照。別の実施形態（図１及び図５参照）において、携行ボックス１は、携行ボックス１に配設された第１の取着手段１４１、及び、衣服２の都合の良い部分に一体化された対の対応する第２の取着手段１４２、本書では面ファスナー（Velcro）ストリップとして概略的に示されている、によって、衣服２に取着され得る。若しくは、対である取着手段１４１、１４２は、プッシュボタン、ジップファスナーなどとして提供され得る。
【００４３】
底面１１１の湾曲形状は、第３の取着手段１４３（図６参照）、例えば接着テープまたはベルクロストリップ、によって底面に場合によっては一時的に取着される、圧迫部材（図示せず）を支持するのに適している。さらに、湾曲した底面は、それに適用される別個の圧迫部材を使用することなく、圧迫を提供することができる。
【００４４】
ここで、さらに別の代替の実施形態が示される図６、図７及び図８が参照される。頂部１２の内部において、内側の頂面１２１ａに圧迫部材１２８が取着されている（図７及び図８参照）。圧迫部材１２８は、弾性のブロック材料、例えばセルフォーム（図示せず）、またはプレート部材１２８ａで作製され得る。図７及び図８に示されるプレート部材１２８ａは、創傷を圧迫している動作状態であっても収納目的のために使用され得る開口端部を有する空隙１２８ｂを画定する。プレート部材１２８ａは、好ましくは、弾性材料で作製される。プレート部材１２８ａ内の空隙１２８ｂは、アイドル状態及びアクティブ状態で１つまたは複数の物品、例えば包帯材料を保持し得る。
【００４５】
圧迫部材１２８は、空隙１２８ｂに設けられた切欠き（cut-outs）１２８ｄを有するラグ１２８ｃとして図８に示され、内側の頂面１２１ａから突出する対応するピン１２１ｂを受け入れるように配設された、適切な取着手段によって、内側の頂面１２１ａに脱着可能に取着され得る。
【００４６】
この実施形態では、接続手段１３は、弓形部材として形成されており、ここにおいて平行な摺動部分１３１ｃが、当接する底部１１及び頂部１２の対応する係合部分１１６、１２６のそれぞれとの摺動可能な係合のために、配設される。
【００４７】
取着手段の要件は、作業中に携行者が行う通常の動作の間に携行ボックス１の確実な取着を提供すること、及び、例えば作業者が包帯を必要とする緊急事態において、携行ボックスの内容物に迅速にアクセスする必要があるとき、携行ボックス１の容易で迅速な取外しの可能性を依然として提供することである。
【００４８】
携行ボックス１の密閉は、携行ボックス１の内容物を損傷することなく携行ボックス１が水に晒されることを可能にする。水に晒すことは、雨及び雪との接触や、例えば、洗濯機の中で水中に意図せず留まることを含む。
【００４９】
携行ボックス１全体は、好ましくは、洗剤、熱湯及びＵＶ放射線に耐えることができる材料で作製される。さらに、軽量の材料が好ましい。射出成形に適した種々のタイプのプラスチックが好ましい。
【００５０】
上記の実施形態は本発明を限定するものではなく、当業者は添付の特許請求の範囲から逸脱することなく多くの代替の実施形態を設計することができることに留意されたい。特許請求の範囲において、括弧内に置かれた任意の参照符号は、特許請求の範囲を限定するものとして解釈されるべきではない。「備える」という動詞とその表現の使用は、請求項に記載されている以外の要素またはステップの存在を除外するものではない。要素に先行する冠詞「ａ」または「ａｎ」は、複数のそのような要素の存在を除外するものではない。
【００５１】
特定の手段が相互に異なる従属請求項に列挙されているという単なる事実は、これらの手段の組み合わせが有利に使用できないことを示すものではない。
【図１】
2019515765.tif 000003
【図２】
2019515765.tif 000004
【図３】
2019515765.tif 000005
【図４】
2019515765.tif 000006
【図５】
2019515765.tif 000007
【図６】
2019515765.tif 000008
【図７】
2019515765.tif 000009
【図８】
2019515765.tif 000010
【国際調査報告】
2019515765.tif 000011
2019515765.tif 000012